(57)【要約】【課題】プラントの挙動やタイミングに合わせて各種のガイダンスが可能で、またオペレータがガイダンスの改訂・編集ができる運転監視支援装置を提供することである。【解決手段】事業所のプラントデータを既定周期で通信ネットワークを介して取り込みプラントの運転監視を支援する運転監視支援装置において、オペレータの設定したイベント判定条件によりイベントの成立や成立条件からの逸脱の判定を行うイベント判断手段６と、予め設定した各種イベントに対する処置方法データから発生したイベントに対応する処置方法を自動的に選択する処置方法表示手段９と、プラントで発生するイベントに対応する処置方法及びイベントデータをイベント発生と略同時に表示する出力手段１３とを備える。【選択図】  図１
2010049532.tif 000002
【特許請求の範囲】
【請求項１】
事業所のプラントデータを既定周期で通信ネットワークを介して取り込みプラントの運転監視を支援する運転監視支援装置において、オペレータの設定したイベント判定条件によりイベントの成立や成立条件からの逸脱の判定を行うイベント判断手段と、予め設定した各種イベントに対する処置方法データから発生したイベントに対応する処置方法を自動的に選択する処置方法表示手段と、プラントで発生するイベントに対応する処置方法及びそのイベントデータをイベント発生と略同時に表示する出力手段とを備えたことを特徴とする運転監視支援装置。
【請求項２】
プラントで発生した各種イベントに対する処置方法の実施や不実施及び処置内容の情報を処置結果データとして入力し保存するための処置結果保存手段と、前記処理結果保存手段で入力した処置結果データを表示するための処理を行う処置履歴表示手段とを備えたことを特徴とする請求項１記載の運転監視支援装置。
【請求項３】
前記処置結果保存手段から入力した処置結果データを用いて所定期間あたりのイベントの発生頻度や発生回数の累積などの演算処理を行う処置結果分析手段を備えたことを特徴とする請求項２記載の運転監視支援装置。
【請求項４】
イベント発生時にイベント対象の機器や設備の映像や現場での処置実施時の映像を記録するビデオ記録手段と、ビデオ記録手段で記録した映像を表示処理するためのビデオ表示手段とを備えたことを特徴とする請求項３記載の運転監視支援装置。
【請求項５】
各イベントが発生した場合にイベント名称を元に発生イベントに対して有用なドキュメントを決定するドキュメント分析手段と、ドキュメント分析手段が決定した順序でドキュメントを一覧表示するドキュメント表示手段と、ドキュメントやドキュメントに対する情報を登録するためのドキュメント保存手段とを備えたことを特徴とする請求項１記載の運転監視支援装置。
【請求項６】
運転員・操作員に対してイベントの発生を通知する通知手段と、イベントの発生があったとき前記通知手段に対し注意喚起を伴う表示を行う自動表示手段とを備えたことを特徴とする請求項１乃至５のいずれか一記載の運転監視支援装置。
【請求項７】
プロセスデータを逐次記憶していくプロセスデータ保存手段と、予め設定されている当該のイベントに相関のある関連プロセス情報を記憶した関連プロセス記憶手段と、イベント発生時に前記プロセスデータ保存手段に保存されたプロセスデータに関連する関連プロセス情報を前記関連プロセス記憶手段から抽出する関連プロセス抽出手段と、前記関連プロセス抽出手段で抽出された関連プロセス情報を表示処理する関連プロセス表示手段とを備えたことを特徴とする請求項１記載の運転監視支援装置。
【請求項８】
前記関連プロセス記憶手段に代えて、発生したイベントの名称をキーとしてドキュメントデータの中からイベント発生情報の記述に近い文章を検出しその文章から関連プロセス情報を割り出す関連プロセス分析手段を設けたことを特徴とする請求項７記載の運転監視支援装置。
【発明の詳細な説明】
【技術分野】
【０００１】
本発明は、事業所のプラントデータを既定周期で通信ネットワークを介して取り込みプラントの運転監視を支援する運転監視支援装置に関する。
【背景技術】
【０００２】
通常、事業所は、複数のプラントとプラントに属する複数の機器とから構成されており、各機器には制御用もしくは監視用の各種センサが取り付けられている。このセンサより収集されたデータは制御用計算機または各種監視装置にてリアルタイム処理に利用される。一方で、時間単位また日単位といった定期間のデータを、合計、平均、最大、最小などの集計処理を行いログデータとして活用している。また、特定データに注目してデータの時系列的な傾向の監視なども行う。これらのプロセスデータ及びログデータは制御用計算機及び各種監視御装置から、管理用計算機或いはデータサーバ等に送信され履歴データとして蓄積される。また、制御用計算機や各種監視装置では、プロセスデータの値や状態と、予め定めた制限値や敷居値とを比較することにより、異常状態や警報状態を検出し、運転員や操作員に通知し、注意を促したり危険を知らせたりする。
【０００３】
プロセスデータは、１つのプラントで数千点から数万点にも達することから、各プロセスデータの異常状態や警報状態でどのように対処すれば良いかを総て覚えるのは非常に難しい。そこで、各異常状態や警報状態にどのような対応をするべきかをガイダンス表示する装置を設けている場合もある。運転手順書と運転手順書に対応した過去の運転操作に関する詳細な各種データの参照を容易にして、運転員の負担を低減させるようにしたものがある（例えば、特許文献１参照）。
【特許文献１】特開２０００−３４８２２６号公報
【発明の開示】
【発明が解決しようとする課題】
【０００４】
しかし、従来のものでは、各プロセスデータの警報状態を制限値超過などで判定しているが、異常状態や警報状態がプロセスデータの単純な値や状態では判定できない場合が有る。また、各種ガイダンスは、各異常状態や警報状態に応じた対応措置をガイダンス表示し、運転員や操作員は、詳細な各種データを参照しながらガイダンス表示された運転操作を行うことになるが、過去に当該イベントが発生した際にどのように対応したかまで判らないことから、運転員や操作員は毎回処置に苦しんだり、処置方法を悩んだりすることが多い。
【０００５】
また、ガイダンス表示システムが表示する情報は、一般的には各装置や機器の取扱説明書、運転マニュアル、仕様書などから情報を整備し、ガイダンスとして説明図書や操作フローなどのコンテンツを作り、登録して表示しているのが実態である。この場合、取扱説明書、運転マニュアル、仕様書などから情報を整備するのに多大な労力が掛かる。
【０００６】
イベントが発生してから関連プロセスデータを調べたり、監視用計算機からマンマシン操作をしてデータ抽出していては、重要なイベントに対して対応が遅れるだけでなく、機器の不調の検出遅れや重大な事故の対処遅れにつながる。
【０００７】
本発明の目的は、プラントの挙動やタイミングに合わせて各種のガイダンスが可能で、またオペレータがガイダンスの改訂・編集ができる運転監視支援装置を提供することである。
【課題を解決するための手段】
【０００８】
本発明の運転監視支援装置は、事業所のプラントデータを既定周期で通信ネットワークを介して取り込みプラントの運転監視を支援する運転監視支援装置において、オペレータの設定したイベント判定条件によりイベントの成立や成立条件からの逸脱の判定を行うイベント判断手段と、予め設定した各種イベントに対する処置方法データから発生したイベントに対応する処置方法を自動的に選択する処置方法表示手段と、プラントで発生するイベントに対応する処置方法及びそのイベントデータをイベント発生と略同時に表示する出力手段とを備えたことを特徴とする。
【発明の効果】
【０００９】
本発明によれば、プラントの挙動やタイミングに合わせて各種のガイダンスが可能で、またオペレータがガイダンスの改訂・編集ができる運転監視支援装置を提供できる。
【発明を実施するための最良の形態】
【００１０】
（第１の実施の形態）
図１は本発明の第１の実施の形態に係わる運転監視支援装置の構成図である。運転監視支援装置２は発電所等の事業所１とイントラネット等の通信ネットワーク３を介して接続されている。事業所１には複数のプラント１〜ｎが設けられており、これらのプラントデータＰＤ１〜ＰＤｎは通信ネットワーク３を介して運転監視支援装置２に入力される。
【００１１】
運転監視支援装置２はクライアント端末１０とデータサーバ４とから構成される。クライアント端末１０は、イベント条件データＤ１を記述するイベント条件記述手段１１と、処置方法データＤ２を記述する処置方法記述手段１２と、データサーバ４の処理結果を表示する出力手段１３とを有する。
【００１２】
データサーバ４は、通信ネットワーク３からデータを受信するプロセスデータ入力手段５を備え、イベント判断手段６に入力する。イベント判断手段６は、クライアント端末１０のイベント条件記述手段１１により設定したイベント条件データＤ１に従い、プラントデータからイベントの判定を行う。
【００１３】
イベント判断手段６で判定したイベントの内容は、イベントデータとしてイベント保存手段７に履歴データで保存される。イベント表示手段８は、イベント保存手段７に保存されたイベントデータをクライアント端末１０の出力手段１３に出力する。また、処置方法表示手段９は、クライアント端末１０の処置方法記述手段１２により予め設定された処置方法から、履歴保存したイベントデータに適合した処置方法をクライアント端末１０の出力手段１３に表示出力する。
【００１４】
事業所１内のプラント１〜ｎの各機器に設置した各種センサから通信ネットワーク３を経由して運転監視支援装置２のデータサーバ４のプロセスデータ入力手段５にプロセスデータが送信され、イベント判断手段６はクライアント端末１０のイベント条件記述手段１１により設定したイベント条件に従いプロセスデータからイベント判定を行い、その判定されたイベントのイベントデータを作成する。
【００１５】
そして、イベント保存手段７により履歴データとして保存し、イベント表示手段８は、クライアント端末１０の出力手段１３にイベントデータを表示する。また、処置方法記述手段１２は、各イベントが発生した場合に確認すべき機器や機器の場所及び確認すべき項目と順序を入力するだけでなく、確認に使用するデータや基準値を入力することにより、発生しているイベントに対する最適と判定される処置内容を処置方法表示手段９により出力手段１３ヘガイダンスとして自動的に表示する。また、先に記述した処置内容に不都合が発生した場合は処置方法記述手段１２により、オペレータが修正を行う。
【００１６】
図２はイベント条件記述手段１１の処理内容の説明図であり、図２（ａ）はイベント条件記述手段１１の処理機能の説明図、図２（ｂ）はイベント条件データＤ１の詳細図である。イベンント条件記述手段１１は、各プロセス値がどのような値になったときにイベントを発生させるかを設定するものである。イベント条件記述手段１１は、１プロセスの条件により判定を行う単純イベント成立条件設定／変更Ｂ１、複数のプロセスの条件により判定を行う複合イベント成立条件設定／変更Ｂ２、イベント成立時のあるプロセス条件の状態によりイベントが分岐するイベント分岐条件設定／変更Ｂ３、イベントが分岐する複合複数イベント成立条件設定／変更Ｂ４などの処理を行う。
【００１７】
複合複数条件として、プロセス値に対して複数のレンジ設定を行い、イベント成立時そのレンジの内どれが成立するかによりイベントが分岐していくイベント分岐条件と、複数のイベントがある条件に成立することにより成立する複合複数イベント成立条件とをイベント条件データＤ１として設定することができる。これらの内容をイベント判定手段６がプロセス値を元に判断し、発生したイベントがイベント保存手段７に保存される。
【００１８】
図３は処置方法記述手段１２の処理内容の説明図であり、図２（ａ）は処置方法記述手段１２の処理機能の説明図、図３（ｂ）は処置方法データＤ２の詳細図である。処置方法記述手段１２は、発生したイベントと処置方法とを紐付ける役割を担うものである。処置方法記述手段１２は、調査項目追加／変更Ｃ１、対処方法の追加／変更Ｃ２、複数の対処方法の設定時の確度設定Ｃ３、イベント関連機器情報の紐付け設定／変更Ｃ４、イベントと関連機器の点検情報の紐付け設定／変更Ｃ５、イベントと現場情報／作業情報の紐付け設定／変更Ｃ６などの処理を行う。
【００１９】
すなわち、処置方法記述手段１２は、イベントが発生した場合に自動的に調査を行う項目と、イベントに対する処置項目と、処置手順と、自動的に調査した結果から処置内容を決定する条件と、発生したイベントに対する関連入力点と入力点が属している機器の機器コードを設定する。さらに、機器コードに付随する情報、設計図面点検記録へのリンクと機器のプラント内の設置位置の情報を設定することにより、イベントに関連する機器情報を取り出し、関連図書に対する追記や変更を行うことができるようになっている。
【００２０】
図４は実際にイベントが発生し処置方法表示手段９が出力手段１３を経由して表示した画面の一例の平面図である。図４に示すように、発生した時刻やそのイベントとともに、処置方法を「ガイド」としてボタンで表示し、選択することにより処置方法を参照することができるようになっている。
【００２１】
図５は図４で実際にボタンを選択したときの表示内容の一例を示す平面図である。図５に示すように、処置方法記憶手段１２で記述している内容を条件判定図などとして表示し、処置条件を区分けしながら対応できるようになっている。
【００２２】
このように、第１の実施の形態では、プロセスデータの状態だけでなく、プロセスデータの組み合わせや複合条件により、プラントの挙動やタイミングに合わせて、各種のガイダンスが可能になるようにしている。また、ガイダンスについても、プラントの経年変化や交換などにより対応方法も変わってくるが、オペレータがこれらのガイダンスを改訂・編集できるようにしている。
【００２３】
第１の実施の形態によれば、プラントデータを受信しプラントで発生する各種イベントを判定し、イベントに対応するための最適な処置内容を自動的にガイダンス表示するので、イベント発生時に行っていたイベントを解決するには何処の場所で何をどのように調査すべきかを検討する必要がなくなる。また、調査結果を元に決定し実施していたイベントに対する処置を直ぐ実施することが可能となる。
【００２４】
（第２の実施の形態）
図６は本発明の第２の実施の形態に係わる運転監視支援装置の構成図である。この第２の実施の形態は、第１の実施の形態に対し、運転監視支援装置２のクライアント端末１０に、処置結果データＤ３を入力し保存するための処置結果保存手段１４と、運転監視支援装置２のデータサーバ４に、入力した処置結果データＤ３を表示するための処理を行う処置履歴表示手段１５とを追加して設けたものである。図１と同一要素には同一符号を付し重複する説明は省略する。
【００２５】
クライアント端末１０の処置結果保存手段１４は、プラントで発生した各種イベントに対する処置方法をオペレータが実施したか否か、及び実施した結果について記録するだけでなく、処置内容の何処の条件や方法にどのような問題があったのかを処置結果データＤ３として保存する。
【００２６】
また、処置内容により二次的なイベントが発生したケースやイベントの付帯条件（外気温・天候・プラント出力）についても処置結果データＤ３として保存する。これにより、各種イベントが発生した場合にオペレータが処置履歴表示手段１５を用いることにより、同一イベントの処置履歴をクライアント端末１０の出力手段１３に表示する。
【００２７】
図７は処置結果保存手段１４の処理内容の説明図であり、図７（ａ）は処置結果保存手段１４の処理機能の説明図、図７（ｂ）は処理結果データＤ３の詳細図である。処置結果保存手段１４は、設定する処置結果データＤ３として、各処置に対する処置結果とその効果や効果確度と何のイベントに対する情報であるかを設定するものである。処置結果保存手段１４は、処理結果の追加／変更Ｅ１、処理内容の効果と評価の設定／変更Ｅ２、イベントと結果の紐付け設定／変更Ｅ３、外部要因の影響を追加／変更Ｅ４などの処理を行う。
【００２８】
さらに、イベントに対する処置結果を左右する外部要因がどのような状態であっかを処置結果として入力できるようにしたものである。これで入力したものが、処置履歴表示手段１５として過去の処置履歴や実績を表示する。図８は過去の処置履歴を表示した画面の一例の平面図である。このように、過去に発生したイベントでどのように対応したかを記憶し、発生時にそれを合わせて提示する。
【００２９】
すなわち、オペレータが自動表示される処置内容を確認し、プラント状況から適用の可否を判断し、処置内容を妥当と判断した場合にはプラントヘの適用が行われるが、この際にオペレータが処置結果保存手段１４を使用し、プラントヘの適用の回避の理由や実際にプラントヘ適用した結果の良否とその理由や副次的に発生した問題の有無及びどのように対処すれば問題を回避できたのかについて記録する。また、その記録だけなく、プラントの状況（気温・海水温度・プラント出力）も合わせて入力し履歴保存する。これにより、以降の運転操作において同一イベントが発生した場合に自動出力される処置内容だけでなく、処置履歴表示手段１５により過去の発生イベントの中からより近い状況を選択し、対応情報を参照することにより、オペレータがどのように対処すべきなのかをより正確に判断することが可能となる。
【００３０】
第２の実施の形態によれば、プラントの各種イベントが発生した場合に過去の対応履歴を表示できるので、現在表示している処置方法の確度や追加すべき処置内容について自前で調査を行うことなく即座に確認することが可能となる。また、同一イベントではあるが付帯条件についても確認することにより現在の状況によりマッチした処置内容を選択することが可能となる。
【００３１】
（第３の実施の形態）
図９は本発明の第３の実施の形態に係わる運転監視支援装置の構成図である。この第３の実施の形態は、第２の実施の形態に対し、処置結果保存手段１４から入力した処置結果データを用いて所定期間あたりのイベントの発生頻度や発生回数の累積などの演算処理を行う処置結果分析手段１６を追加して設けたものである。図６と同一要素には同一符号を付し重複する説明は省略する。
【００３２】
図９に示すように、運転監視支援装置２のデータサーバ４に処置結果分析手段１６が設けられている。処置結果分析手段１６は、クライアント端末１０の処置結果保存手段１４により入力した処置結果データを用いて、所定の期間あたりのイベントの発生頻度や発生回数の累積などの演算処理を行う。
【００３３】
処置結果分析手段１６は、処置結果保存手段１４により入力した処置結果データから、特定のイベントが発生した回数を季節・外気温・プラント出力・１日の時間帯に別に集計する。そして、その集計した結果から特に頻度の多いケースで他のイベントとの発生の前後関係や発生タイミングから分析を行い、他のイベントとの相関関係や発生要因についての分析結果を処置履歴表示手段１５を経由してクライアント端末１０の出力手段１３に表示する。
【００３４】
第３の実施の形態によれば、各種イベントの発生した頻度や発生回数の分布と他のイベントやプラントの出力や外気温度、季節、１日の時間帯などの付帯条件との相関関係を分析することにより、直接的な要因だけでなく他の条件からの影響についても加味した処置方法を作成することが可能となる。
【００３５】
（第４の実施の形態）
図１０は本発明の第４の実施の形態に係わる運転監視支援装置の構成図である。この第４の実施の形態は、第３の実施の形態に対し、イベント発生時にイベント対象の機器や設備の映像や現場での処置実施時の映像を記録するビデオ記録手段１７と、ビデオ記録手段１７で記録した映像を表示処理するためのビデオ表示手段１８とを追加して設けたものである。図９と同一要素には同一符号を付し重複する説明は省略する。
【００３６】
図１０に示すように、ビデオ記録手段１７は、イベント判断手段６で作成されイベント保存手段７に保存されたイベントデータに対し、イベント対象の機器や設備の映像や現場での処置実施時の映像を記録する。ビデオ表示手段１８はビデオ記録手段１７に記録した映像をクライアント端末１０の出力手段１３に表示する。
【００３７】
すなわち、ビデオ記録手段１７は、プロセスデータ入力手段５により保存されるプロセスデータからイベント判断手段６が判定したイベントに対し、そのイベントが発生している機器の映像を記録する。つまり、ビデオ記録手段１７はイベント判定と同時に自動的に映像を保存し、処置方法表示手段９が出力手段１３に処置方法をガイダンス表示した場合に、その付加情報としてビデオ表示手段１８により対象機器映像を合わせて表示する。また、オペレータからの要求により同一イベントの過去の対応時の映像を表示する。これにより、現状の映像からは所在場所の確認と現場の状況にあわせた装備や工具の選択が可能となり、過去の映像からは対応作業の手順や操作を予め確認することが可能となる。
【００３８】
第４の実施の形態によれば、イベントの発生した対象機器の現在状態を表示することにより、対象機器の場所や状況を確認することが容易になり、また対象機器の現在状況に応じた工具や装備の選択を現場の状況に応じて事前に変更することが容易になる。さらに過去の同一イベントの対応時の状況を映像で確認することにより作業内容と手順を確認することが可能になる。
【００３９】
（第５の実施の形態）
図１１は本発明の第５の実施の形態に係わる運転監視支援装置の構成図である。この第５の実施の形態は、第１の実施の形態に対し、各イベントが発生した場合にイベント名称など単語を元に発生イベントに対して有用なドキュメントを決定するドキュメント分析手段１９と、ドキュメント分析手段１９が決定した順序でドキュメントを一覧表示するドキュメント表示手段２０と、ドキュメントやドキュメントに対する情報（ドキュメントデータＤ４）を登録するためのドキュメント保存手段２１とを追加して設けたものである。図１と同一要素には同一符号を付し重複する説明は省略する。
【００４０】
ドキュメント分析手段１９は、各イベントが発生した場合にイベント名称を構成する単語をキーワードとしてドキュメントデータＤ４に登録された登録ドキュメントを走査し、単語が合致する回数と完全合致や部分合致などの合致の度合いにより、イベントに対するドキュメントの有用度を判定する。そして、この有用度により表示するドキュメントと表示順序を決定する。
【００４１】
また、ドキュメント表示手段２０は、ドキュメント分析手段１９で決定した順序でドキュメントを一覧表示し、オペレータからの要求により選択したドキュメントの表示を行う。表示の際にはキーワードに合致したぺ一ジから表示する。さらにドキュメント保存手段２１は新規のドキュメントを登録・保存するだけではなく、表示したドキュメントの有用度についての評価を追記することにより、同一のイベントの次回発生時にはこの情報も加味してドキュメントの有用度を判定する。
【００４２】
図１２はドキュメント分析手段１９の処理内容の説明図であり、図１２（ａ）はドキュメント分析手段１９の処理機能の説明図、図１２（ｂ）はドキュメント分析手段１９の詳細図である。ドキュメント分析手段１９は、イベント関連文字列設定／変更Ｆ１、文字列検索方法と重要度の設定／変更Ｆ２、メッセージ分解方法の設定／変更Ｆ３、関連情報との紐付け追加／変更Ｆ４などの処理を行う。
【００４３】
また、ドキュメント分析手段１９にイベントの文字をどのように分解するかを記述したイベントメッセージ分解方法と、ドキュメント内の文字をどのように検索するかを記述した文字列検索方法と、各イベントに関連する文字列と文字列の重要度及び関連情報を設定することにより、実際にイベントが発生した場合にイベント関連の文字列と重要度により、ドキュメント検索方法に従いドキュメント検索を行う。これにより、検索結果であるドキュメント内の有用な情報のみを直接表示することを実現する。
【００４４】
このように、ドキュメント分析手段１９は、発生したイベントの名称を構成する単語をキーワードとして予め登録したドキュメントデータＤ４を走査し、単語が合致する回数と完全合致や部分合致などの合致の度合いにより、イベントに対するドキュメントの有用度を判定する。この有用度によりドキュメントのランク付けをし、その上位をドキュメント一覧として表示する。ドキュメント一覧からドキュメントを表示すると、キーワードを含むページを表示する。
【００４５】
一方、ドキュメント保存手段２１は新規のドキュメントを登録・保存するだけではなく、表示したドキュメントの有用度についての評価を追記することにより、同一のイベントの次回発生時にはこの情報も加味してドキュメントの有用度を判定する。以上の点からイベントの発生時に処理を行うために有用なドキュメントの即時表示ができ、より有効でかつ的確な対応を行うことが可能となる。
【００４６】
第５の実施の形態によれば、イベントの発生時に設計図・構成図・マニュアル、仕様書などの膨大なドキュメント群から参考となるドキュメントを自動的に絞り込み、対象となるぺ一ジを自動的に表示することができる。これにより、オペレータがドキュメント群から必要ドキュメントの必要な部分を探し出すのに費やしている時間を大幅に削減することができる。また、より有効なドキュメントの表示により、イベント発生から処置開始まで時間が短縮され、かつより有効な対応が容易に可能となる。
【００４７】
（第６の実施の形態）
図１３は本発明の第６の実施の形態に係わる運転監視支援装置の構成図である。この第６の実施の形態は、第５の実施の形態に対し、運転員・操作員に対してイベントの発生を通知する通知手段２３と、イベントの発生があったとき前記通知手段に対し注意喚起を伴う表示を行う自動表示手段２２とを追加して設けたものである。図１１と同一要素には同一符号を付し重複する説明は省略する。
【００４８】
自動表示手段２２は、イベントデータ、処置方法、ドキュメント情報を出力手段１３に出力すると同時に、通知手段２３に対してもイベントデータなどの提示する情報が有ることを通知する。通知手段２３は、操作員に対して新たに提示する情報が発生したことを知らせる働きをする。具体的には、チャイムを出力したり、ベルを鳴らしたりする。また、出力手段１３に、イベントデータ、処置方法、ドキュメント情報が表示される際には、モニタにウィンドウで表示されることから、重なり合ったウィンドウの最前になるように指令を出す。これにより、操作員に注意喚起を伴って通知し、直ぐに確認できるような状態にする。
【００４９】
また、最近の監視室や制御室では、個々のモニタだけでなく大型スクリーンを採用する場合がある。このような場合には、自動表示手段２２は大型スクリーンに対して、出力手段１３が表示している内容を優先表示するような指令を出す。
【００５０】
このように、イベントデータ、イベントに対する処置方法、ドキュメントの情報などを表示する出力手段１３に自動表示手段２２を設け、イベントデータ、イベントに対する処置方法、ドキュメントの情報などを出力手段１３から出力するとともに、通知手段２３から、運転員・操作員に対してイベントの発生を通知する。その際の注意喚起を伴う表示は、例えば、表示装置の最前面表示して隠れないようにしたり、大型スクリーンに対して優先表示の指令を出すことにより、運手員・操作員の対応の省力化と迅速性を向上し、情報漏れや検出抜けを防ぐ。
【００５１】
第６の実施の形態によれば、監視員・操作員は、情報が発生した際に、モニタを操作して当該情報のウィンドウを表示する操作が不要となり、発生したことを聴覚的にも関知できる、従って、イベントが発生したことを認識せず情報が漏れたりすることがなくなる。また、大型スクリーンなどの場合は、いち早く大型スクリーンの画面にイベントの発生情報や処置方法が表示されることから、監視員・操作員全員の認識が１つとなり、誤操作の防止や処置漏れなどを未然に防ぐことができる。
【００５２】
（第７の実施の形態）
図１４は、第７の実施の形態に係わる運転監視支援装置の構成図である。この第７の実施の形態は、第１の実施の形態に対し、プロセスデータを逐次記憶していくプロセスデータ保存手段２４と、予め設定されている当該のイベントに相関のある関連プロセス情報を記憶した関連プロセス記憶手段２７と、イベント発生時にプロセスデータ保存手段２４に保存されたプロセスデータに関連する関連プロセス情報を関連プロセス記憶手段２７から抽出する関連プロセス抽出手段と２６、関連プロセス抽出手段２６で抽出された関連プロセス情報を表示処理する関連プロセス表示手段２５とを備えたものである。図１と同一要素には同一符号を付し重複する説明は省略する。
【００５３】
プロセスデータ保存手段２４は、プロセスデータ入力手段５が収集したプラントのデータを受け、そのプロセス値などを逐次記録していくものである。プロセスデータ保存手段２４に記録したデータは、後に検索指令を受けて取り出せるように、時刻やプロセスポイント（Ｔａｇ番号）等をキーとして保存していくものである。
【００５４】
関連プロセス表示手段２５は、イベント保存手段７からイベントが発生した際にイベント発生情報を受けると、関連プロセス抽出手段２６からイベントに関連したプロセスデータのプロセス値を受信するものである。関連プロセス抽出手段２６は、関連プロセス表示手段２５から関連プロセス情報を求められると、当該のイベントに関連したプロセスデータが何であるかを関連プロセス記憶手段２７から受ける。
【００５５】
関連プロセス記憶手段２７は、発生したイベントに関連するプロセスポイント（Ｔａｇ番号）などが複数記憶されており、その情報を関連プロセス抽出手段２６に送り出す。関連プロセス抽出手段２６は、プロセスポイント（Ｔａｇ番号）をもとに、プロセスデータ保存手段２４に対して、記録されている関連プロセスの記録データを検索して出力する。関連プロセス抽出手段２６は、このプロセスデータの記録を関連プロセス表示手段２５に対して出力する。関連プロセス表示手段２５は、発生したイベントに対して、関連するプロセスデータを出力手段１３に対して出力し、イベントの情報、処置方法などと合わせて表示する。
【００５６】
イベントが発生した場合、運転員・操作員は、当該のイベントに対して、どのように対処するべきかを知る必要もあるが、それと同等に現在プラントの状態が同様な状態であるかを知る必要があり、重要な初動対応である。プラントがどのような状態にあるかは、個々のプロセス値を見ながら、各機器の温度や圧力などが所定の数値になっているかを判断するのが一般的である。
【００５７】
各イベントに対して、そのイベントに対して最も関連性のあるプロセスポイント（Ｔａｇ番号）や因果関係のあるプロセスポイント（Ｔａｇ番号）、さらには、まず最初にチェックすべきプロセスポイント（Ｔａｇ番号）などを記憶しておくのが関連プロセス記憶手段２７である。イベント発生時に、これらの関連するプロセスポイント（Ｔａｇ番号）を関連プロセス抽出手段２６が受け取り、プロセスデータの経過データをプロセスデータ保存手段２４から受け取り、関連プロセス表示手段２５に対して出力する。これにより、関連プロセス表示手段２５は運転員・操作員に対して、関連するデータを適時、かつ間違いなく提示できることから、運転員・操作員は状況把握や状態確認、原因の一次調査を容易に行うことができる。
【００５８】
第７の実施の形態によれば、運転員・操作員は、発生イベントに対して、関連する情報をいち早く把握することが可能となり、プラントの状況把握ができ、初動対応を的確に行うことができる。従って、プラントの安定操作・安全運転に大きく貢献するものである。
【００５９】
（第８の実施の形態）
図１５は、第８の実施の実施の形態に係わる運転監視支援装置の構成図である。この第８の実施の形態は、第７の実施の形態に対し、関連プロセス記憶手段２７の代わりに、ドキュメントデータＤ４から関連プロセス情報を取り出す関連プロセス分析手段２８を設けたものである。図１４と同一要素には同一符号を付し重複する説明は省略する。
【００６０】
関連プロセス分析手段２８は、発生したイベントの名称をキーとして、運転マニュアル、取扱説明書、機器仕様書などが保存されているドキュメントデータＤ４の中から、イベント発生情報の記述に近い文章を検出し、その文章から関連するプロセスポイント（Ｔａｇ番号）を割り出すものである。
【００６１】
そして、関連プロセス分析手段２８は、割り出したプロセスポイント（Ｔａｇ番号）を関連プロセス抽出手段２６に出力する。関連プロセス抽出手段２６は、プロセスポイント（Ｔａｇ番号）をもとに、プロセスデータ保存手段２４から関連するプロセスデータを抽出して関連プロセス表示手段２５に出力する。関連プロセス表示手段２５は、イベントデータあるいは処置方法などに合わせて、関連プロセスのデータを出力手段１３に出力する。
【００６２】
第７の実施の形態では、関連するプロセスポイント（Ｔａｇ番号）を予め関連プロセス記憶手段２７に設定し記憶しておく必要があり、各イベントに対して関連するプロセスポイント（Ｔａｇ番号）を洗い出す作業は大変な作業であった。主に運転マニュアル、取扱説明書、機器仕様書などから関連するプロセスポイント（Ｔａｇ番号）を調べ、関連プロセス記憶手段２７に設定する必要があった。
【００６３】
これに対し、第８の実施の形態では、関連プロセス分析手段２８が、運転マニュアル、取扱説明書、機器仕様書などのドキュメントデータＤ４から抽出し自動検索し、検索したプロセスポイント（Ｔａｇ番号）を関連プロセス抽出手段２６に出力する。従って、手動で行っていた関連プロセス項目の抽出と設定とを関連プロセス分析手段２８で自動的に実施できる。
【００６４】
第８の実施の形態によれば、予め行う関連するプロセスポイント（Ｔａｇ番号）の抽出の作業が自動的に行われるので、運転方法の見直し、対処方法の変更時には、運転マニュアル、取扱説明書、機器仕様書などのドキュメントデータＤ４を見直しするだけでよい。
【図面の簡単な説明】
【００６５】
【図１】本発明の第１の実施の形態に係わる運転監視支援装置の構成図。
【図２】本発明の第１の実施の形態におけるイベント条件記述手段の処理内容の説明図。
【図３】本発明の第１の実施の形態における処置方法記述手段の処理内容の説明図。
【図４】本発明の第１の実施の形態における処置方法表示手段から出力手段に表示した処置方法一覧の一例の平面図。
【図５】図４で実際にボタンを選択したときの表示内容の一例を示す平面図。
【図６】本発明の第２の実施の形態に係わる運転監視支援装置の構成図。
【図７】本発明の第２の実施の形態における処置結果保存手段の処理内容の説明図。
【図８】本発明の第２の実施の形態における処置履歴表示手段が出力手段１３から処置履歴を表示した画面の一例の平面図。
【図９】本発明の第３の実施の形態に係わる運転監視支援装置の構成図。
【図１０】本発明の第４の実施の形態に係わる運転監視支援装置の構成図。
【図１１】本発明の第５の実施の形態に係わる運転監視支援装置の構成図。
【図１２】本発明の第５の実施の形態におけるドキュメント分析手段の処理内容の説明図。
【図１３】本発明の第６の実施の形態に係わる運転監視支援装置の構成図。
【図１４】本発明の第７の実施の形態に係わる運転監視支援装置の構成図。
【図１５】本発明の第８の実施の形態に係わる運転監視支援装置の構成図。
【符号の説明】
【００６６】
１…事業所、２…運転監視支援装置、３…通信ネットワーク、４…データサーバ、５…プロセスデータ入力手段、６…イベント判断手段、７…イベント保存手段、８…イベント表示手段、９…処理方法表示手段、１０…クライアント端末、１１…イベント条件記述手段、１２…処理方法記述手段、１３…出力手段、１４…処置結果保存手段、１５…処置履歴表示手段、１６…処理結果分析手段、１７…ビデオ記録手段、１８…ビデオ表示手段、１９…ドキュメント分析手段、２０…ドキュメント表示手段、２１…ドキュメント保存手段、２２…自動表示手段、２３…通知手段、２４…プロセスデータ保存手段、２５…関連プロセス表示手段、２６…関連プロセス抽出手段、２７…関連プロセス記憶手段、２８…関連プロセス分析手段
【図１】
2010049532.tif 000003
【図２】
2010049532.tif 000004
【図３】
2010049532.tif 000005
【図４】
2010049532.tif 000006
【図５】
2010049532.tif 000007
【図６】
2010049532.tif 000008
【図７】
2010049532.tif 000009
【図８】
2010049532.tif 000010
【図９】
2010049532.tif 000011
【図１０】
2010049532.tif 000012
【図１１】
2010049532.tif 000013
【図１２】
2010049532.tif 000014
【図１３】
2010049532.tif 000015
【図１４】
2010049532.tif 000016
【図１５】
2010049532.tif 000017